【手続補正書】
【提出日】平成17年4月25日(2005.4.25)
【手続補正１】
【補正対象書類名】特許請求の範囲
【補正対象項目名】全文
【補正方法】変更
【補正の内容】
【特許請求の範囲】
【請求項１】
コンテンツデータを配信するサーバシステムと、上記サーバシステムから配信される上記コンテンツデータを取得するクライアントと、からなるコンテンツ配信システムにおけるコンテンツ配信方法において、
上記サーバシステムから、上記コンテンツデータを特定するコンテンツ情報を要求し、
上記サーバシステムによって、上記クライアントに上記コンテンツ情報を送信し、
上記コンテンツ情報によって特定される第一のコンテンツを、注目コンテンツとして設定し、上記コンテンツ情報によって特定される第二のコンテンツを、上記注目コンテンツとして再設定し、
上記注目コンテンツの視聴データを、ユーザの操作を介在することなく、要求し、
上記注目コンテンツの視聴データを、上記クライアントに送信し、
上記ユーザによる操作を介在することなく、上記視聴データを再生する
ことを特徴とするコンテンツ配信方法。
【請求項２】
サーバシステムから配信されるコンテンツデータを取得するコンテンツ取得デバイスにおいて、
上記サーバシステムとデータを送受信する通信手段と、
上記コンテンツデータを特定するコンテンツ情報を、上記通信手段から上記サーバシステムへ、要求するための第一の要求情報の送信制御、及び、上記第一の要求情報に応じて、上記サーバシステムから送信される上記コンテンツ情報を受信制御する第一の通信制御手段と、
注目コンテンツとして上記コンテンツ情報によって特定される第一のコンテンツを設定し、上記注目コンテンツとして上記コンテンツ情報によって特定される第二のコンテンツ情報を設定する設定手段と、
ユーザの操作を介在することなく上記通信手段から上記サーバシステムに、上記注目コンテンツの視聴データを要求する、第二の要求情報の送信制御、及び、上記第二の要求情報に応答して、上記視聴データの受信制御をする第二の通信制御手段と、
上記ユーザの操作を介在することなく、視聴データを再生する再生手段と
を備えることを特徴とするコンテンツ取得デバイス。
【請求項３】
上記請求項２におけるコンテンツ取得デバイスにおいて、
コンテンツ情報は、少なくとも、URL、タイトル、名前、または識別情報のいずれかであることを特徴とする。
【請求項４】
上記請求項２に記載のコンテンツ取得デバイスにおいて、
上記ユーザが上記視聴データに対応する上記注目コンテンツを取得する指示を与える時、及び、上記再生手段が上記視聴データを再生する時、上記通信手段から上記サーバシステムへ、上記視聴データに対応する注目コンテンツのフルデータを要求する、第三の要求情報の転送制御すると共に、上記第三の要求情報に応じて送信される注目コンテンツのフルデータを受信する第三の通信制御手段を
更に備えることを特徴とするコンテンツ取得デバイス。
【請求項５】
上記請求項３に記載のコンテンツ取得デバイスにおいて、
上記ユーザによって操作される操作手段を更に備え、
上記操作手段は、
上記注目コンテンツを変更する上記指示を、上記設定手段に入力する第一の入力手段と、
上記注目コンテンツを取得する指示を、上記第三の通信手段に入力する第二の入力手段と
を含むことを特徴とするコンテンツ取得デバイス。
【請求項６】
上記請求項２記載のコンテンツ取得デバイスにおいて、
上記コンテンツ情報は上記視聴データの、許可された再生回数を特定し、上記許された回数は上記コンテンツデータに予め設定されており、
上記第二の通信制御手段は、上記通信手段から上記サーバシステムへ、上記許可された回数を越えない所定回数、上記第二の要求情報を送信すること
を特徴とするコンテンツ取得デバイス。
【請求項７】
上記請求項２に記載のコンテンツ取得デバイスにおいて、
上記第二の通信手段は、上記注目コンテンツが上記設定手段によって設定された後、所定の期間内に、上記注目コンテンツが変わらない時は、上記通信手段から上記サーバシステムへ、上記第二の要求情報を送信制御すること
を特徴とするコンテンツ取得デバイス。
【請求項８】
上記請求項２に記載のコンテンツ取得デバイスにおいて、
表示デバイスに、少なくとも、上記注目コンテンツに対応する上記コンテンツ情報の一部を表示する表示制御手段を
更に備えることを特徴とするコンテンツ取得デバイス。
【請求項９】
サーバシステムからコンテンツデータを取得するコンテンツ取得デバイスにおけるコンテンツ取得方法は、
上記サーバシステムに、上記コンテンツデータを特定するコンテンツ情報を要求し、上記サーバシステムから上記コンテンツ情報を取得し、
上記コンテンツ情報が取得されると、注目コンテンツとして上記コンテンツ情報を特定される第一のコンテンツを設定し、
上記注目コンテンツの変更指示に応じて、上記コンテンツ情報によって特定される第二のコンテンツを設定し、
上記ユーザの操作を介在することなく、上記注目コンテンツの視聴データを、上記サーバシステムに要求し、上記サーバシステムから配信される注目コンテンツの視聴データを取得し、
上記ユーザの操作を介在することなく、上記視聴データを再生する
ことを特徴とするコンテンツ取得方法。
【請求項１０】
サーバシステムから配信されるコンテンツデータを取得する処理を実行するコンピュータプログラムにおいて、上記コンピュータプログラムはコンピュータに、
上記コンテンツデータによって特定されるコンテンツ情報を送信するよう、上記サーバシステムに要求し、上記サーバシステムから上記コンテンツ情報を取得する処理、
上記コンテンツ情報が取得されると、上記コンテンツ情報によって特定される第一のコンテンツを注目コンテンツとして設定する処理、
上記注目コンテンツの変更指示に従って、上記コンテンツ情報によって特定される第二のコンテンツ情報を注目コンテンツに設定する処理、
上記ユーザの操作を介在せずに、上記注目コンテンツの視聴データを送信するよう、上記サーバシステムに要求し、上記サーバシステムから上記注目コンテンツの視聴データを取得する処理、
上記ユーザの操作を介在することなく、上記視聴データを再生する処理
を実行させることを特徴とする。
【手続補正２】
【補正対象書類名】明細書
【補正対象項目名】発明の名称
【補正方法】変更
【補正の内容】
【発明の名称】コンテンツ配信方法、コンテンツ取得デバイス、および、コンテンツ取得方法、並びに、プログラム
【手続補正３】
【補正対象書類名】明細書
【補正対象項目名】０００１
【補正方法】変更
【補正の内容】
【０００１】
本発明は、コンテンツ配信方法、コンテンツ取得デバイス、および、コンテンツ取得方法、並びに、プログラムに関し、特に、GUI（Graphical User Interface）に頼らないコンテンツのダウンロード操作ができる、コンテンツ配信方法、コンテンツ取得デバイス、および、コンテンツ取得方法、並びに、プログラムに関する。
【手続補正４】
【補正対象書類名】明細書
【補正対象項目名】００１３
【補正方法】変更
【補正の内容】
【００１３】
本発明のコンテンツ配信方法は、コンテンツデータを配信するサーバシステムと、サーバシステムから配信されるコンテンツデータを取得するクライアントと、からなるコンテンツ配信システムにおけるコンテンツ配信方法であって、サーバシステムから、コンテンツデータを特定するコンテンツ情報を要求し、サーバシステムによって、クライアントにコンテンツ情報を送信し、コンテンツ情報によって特定される第一のコンテンツを、注目コンテンツとして設定し、コンテンツ情報によって特定される第二のコンテンツを、注目コンテンツとして再設定し、注目コンテンツの視聴データを、ユーザの操作を介在することなく、要求し、注目コンテンツの視聴データを、クライアントに送信し、ユーザによる操作を介在することなく、視聴データを再生するようにすることを特徴とする。
【手続補正５】
【補正対象書類名】明細書
【補正対象項目名】００１４
【補正方法】変更
【補正の内容】
【００１４】
本発明のコンテンツ配信方法においては、サーバシステムからコンテンツデータが配信され、そのコンテンツデータがクライアントに取得される。即ち、サーバシステムから、コンテンツデータを特定するコンテンツ情報が要求され、サーバシステムによって、クライアントにコンテンツ情報が送信され、コンテンツ情報によって特定される第一のコンテンツが、注目コンテンツとして設定され、コンテンツ情報によって特定される第二のコンテンツが、注目コンテンツとして再設定され、注目コンテンツの視聴データが、ユーザの操作を介在することなく、要求され、注目コンテンツの視聴データが、クライアントに送信され、ユーザによる操作を介在することなく、視聴データが再生される。
【手続補正６】
【補正対象書類名】明細書
【補正対象項目名】００１５
【補正方法】変更
【補正の内容】
【００１５】
本発明のコンテンツ取得デバイスは、サーバシステムから配信されるコンテンツデータを取得するコンテンツ取得デバイスであって、サーバシステムとデータを送受信する通信手段と、コンテンツデータを特定するコンテンツ情報を、通信手段からサーバシステムへ、要求するための第一の要求情報の送信制御、及び、第一の要求情報に応じて、サーバシステムから送信されるコンテンツ情報を受信制御する第一の通信制御手段と、注目コンテンツとしてコンテンツ情報によって特定される第一のコンテンツを設定し、注目コンテンツとしてコンテンツ情報によって特定される第二のコンテンツ情報を設定する設定手段と、ユーザの操作を介在することなく通信手段からサーバシステムに、注目コンテンツの視聴データを要求する、第二の要求情報の送信制御、及び、第二の要求情報に応答して、視聴データの受信制御をする第二の通信制御手段と、ユーザの操作を介在することなく、視聴データを再生する再生手段とを備えることを特徴とする。
【手続補正７】
【補正対象書類名】明細書
【補正対象項目名】００１６
【補正方法】変更
【補正の内容】
【００１６】
コンテンツ情報は、少なくとも、URL、タイトル、名前、または識別情報のいずれかであるようにすることができる。
ユーザが視聴データに対応する注目コンテンツを取得する指示を与える時、及び、再生手段が視聴データを再生する時、通信手段からサーバシステムへ、視聴データに対応する注目コンテンツのフルデータを要求する、第三の要求情報の転送制御すると共に、第三の要求情報に応じて送信される注目コンテンツのフルデータを受信する第三の通信制御手段をさらに設けるようにすることができる。
ユーザによって操作される操作手段を更に設け、操作手段は、注目コンテンツを変更する上記指示を、上記設定手段に入力する第一の入力手段と、注目コンテンツを取得する指示を、上記第三の通信手段に入力する第二の入力手段とを含むようにすることができる。
コンテンツ情報は視聴データの、許可された再生回数を特定し、許された回数はコンテンツデータに予め設定されており、第二の通信制御手段は、通信手段からサーバシステムへ、許可された回数を越えない所定回数、第二の要求情報を送信するようにすることができる。
第二の通信手段は、注目コンテンツが設定手段によって設定された後、所定の期間内に、注目コンテンツが変わらない時は、通信手段からサーバシステムへ、第二の要求情報を送信制御するようにすることができる。
表示デバイスに、少なくとも、注目コンテンツに対応するコンテンツ情報の一部を表示する表示制御手段を更に設けるようにすることができる。
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】変更
【補正の内容】
【００２０】
本発明のコンテンツ取得デバイスにおいては、サーバシステムから配信されるコンテンツデータが取得される。即ち、サーバシステムとデータを送受信する通信手段が設けられており、コンテンツデータを特定するコンテンツ情報を、通信手段からサーバシステムへ、要求するための第一の要求情報の送信制御、及び、第一の要求情報に応じて、サーバシステムから送信されるコンテンツ情報の受信制御が実行される。また、注目コンテンツとしてコンテンツ情報によって特定される第一のコンテンツが設定され、注目コンテンツとしてコンテンツ情報によって特定される第二のコンテンツ情報が設定される。そして、ユーザの操作を介在することなく通信手段からサーバシステムに、注目コンテンツの視聴データを要求する、第二の要求情報の送信制御、及び、第二の要求情報に応答して、視聴データの受信制御が実行される。さらに、ユーザの操作を介在することなく、視聴データが再生される。
【手続補正１２】
【補正対象書類名】明細書
【補正対象項目名】００２１
【補正方法】変更
【補正の内容】
【００２１】
本発明のコンテンツ取得方法は、サーバシステムからコンテンツデータを取得するコンテンツ取得デバイスにおけるコンテンツ取得方法であって、サーバシステムに、コンテンツデータを特定するコンテンツ情報を要求し、サーバシステムからコンテンツ情報を取得し、コンテンツ情報が取得されると、注目コンテンツとしてコンテンツ情報を特定される第一のコンテンツを設定し、注目コンテンツの変更指示に応じて、コンテンツ情報によって特定される第二のコンテンツを設定し、ユーザの操作を介在することなく、注目コンテンツの視聴データを、サーバシステムに要求し、サーバシステムから配信される注目コンテンツの視聴データを取得し、ユーザの操作を介在することなく、視聴データを再生するようにすることを特徴とする。
【手続補正１３】
【補正対象書類名】明細書
【補正対象項目名】００２２
【補正方法】変更
【補正の内容】
【００２２】
本発明のプログラムは、サーバシステムから配信されるコンテンツデータを取得する処理を実行するコンピュータプログラムであって、コンピュータプログラムはコンピュータに、コンテンツデータによって特定されるコンテンツ情報を送信するよう、サーバシステムに要求し、サーバシステムからコンテンツ情報を取得する処理、コンテンツ情報が取得されると、コンテンツ情報によって特定される第一のコンテンツを注目コンテンツとして設定する処理、注目コンテンツの変更指示に従って、コンテンツ情報によって特定される第二のコンテンツ情報を注目コンテンツに設定する処理、ユーザの操作を介在せずに、注目コンテンツの視聴データを送信するよう、サーバシステムに要求し、サーバシステムから注目コンテンツの視聴データを取得する処理、ユーザの操作を介在することなく、視聴データを再生する処理を実行させることを特徴とする。
【手続補正１４】
【補正対象書類名】明細書
【補正対象項目名】００２３
【補正方法】変更
【補正の内容】
【００２３】
本発明のコンテンツ取得方法、および、プログラムにおいては、コンテンツデータによって特定されるコンテンツ情報を送信するよう、サーバシステムに要求し、サーバシステムからコンテンツ情報を取得する処理、コンテンツ情報が取得されると、コンテンツ情報によって特定される第一のコンテンツを注目コンテンツとして設定する処理、注目コンテンツの変更指示に従って、コンテンツ情報によって特定される第二のコンテンツ情報を注目コンテンツに設定する処理、ユーザの操作を介在せずに、注目コンテンツの視聴データを送信するよう、サーバシステムに要求し、サーバシステムから注目コンテンツの視聴データを取得する処理、ユーザの操作を介在することなく、視聴データを再生する処理がそれぞれ実行される。
【手続補正１５】
【補正対象書類名】明細書
【補正対象項目名】００２７
【補正方法】変更
【補正の内容】
【００２７】
請求項１に記載のコンテンツ配信方法は、
コンテンツデータを配信するサーバシステム（例えば、図１のEMDサーバ３、または、図２８のショップサーバ３０１−１乃至課金サーバ３０１−７からなるEMDサーバシステム３０１）と、上記サーバシステムから配信される上記コンテンツデータを取得するクライアント（例えば、図１または図２８のEMDクライアント１）と、からなるコンテンツ配信システムにおけるコンテンツ配信方法において、
上記サーバシステムから、上記コンテンツデータを特定するコンテンツ情報を要求し、
上記サーバシステムによって、上記クライアントに上記コンテンツ情報を送信し、
上記コンテンツ情報によって特定される第一のコンテンツを、注目コンテンツとして設定し、上記コンテンツ情報によって特定される第二のコンテンツを、上記注目コンテンツとして再設定し、
上記注目コンテンツの視聴データを、ユーザの操作を介在することなく、要求し、
上記注目コンテンツの視聴データを、上記クライアントに送信し、
上記ユーザによる操作を介在することなく、上記視聴データを再生する
ことを特徴とする。
【手続補正１６】
【補正対象書類名】明細書
【補正対象項目名】００２８
【補正方法】変更
【補正の内容】
【００２８】
請求項２に記載のコンテンツ取得デバイスは、
サーバシステム（例えば、図１のEMDサーバ３、または、図２８のショップサーバ３０１−１乃至課金サーバ３０１−７からなるEMDサーバシステム３０１）から配信されるコンテンツデータを取得するコンテンツ取得デバイス（例えば、図２と図３のEMDクライアント１）であって、
上記サーバシステムとデータを送受信する通信手段（例えば、図２と図３の通信部１９）と、
上記コンテンツデータを特定するコンテンツ情報を、上記通信手段から上記サーバシステムへ、要求するための第一の要求情報（例えば、図１３に示される楽曲紹介ページ２２１の情報のリクエスト）の送信制御、及び、上記第一の要求情報に応じて、上記サーバシステムから送信される上記コンテンツ情報を受信制御する第一の通信制御手段（例えば、図３のリスト取得部７１）と、
注目コンテンツとして上記コンテンツ情報によって特定される第一のコンテンツを設定し、上記注目コンテンツとして上記コンテンツ情報によって特定される第二のコンテンツ情報を設定する設定手段（例えば、図３のフォーカス設定部７２）と、
ユーザの操作を介在することなく上記通信手段から上記サーバシステムに、上記注目コンテンツの視聴データを要求する、第二の要求情報（例えば、図１３のHTML文章２２１の９行目のSAMPLEDATAタグ（<SAMPLEDATA>と</SAMPLEDATE>）に挟まれたURLアドレスにアクセスするときに送信するアクセス要求等）の送信制御、及び、上記第二の要求情報に応答して、上記視聴データの受信制御をする第二の通信制御手段（例えば、図３のコンテンツ試用データ取得部７４）と、
上記ユーザの操作を介在することなく、視聴データを再生する再生手段（例えば、図３の再生部７５）と
を備えることを特徴とするコンテンツ取得デバイス。
【手続補正１７】
【補正対象書類名】明細書
【補正対象項目名】００２９
【補正方法】変更
【補正の内容】
【００２９】
請求項４に記載のコンテンツ取得デバイスは、
上記請求項２に記載のコンテンツ取得デバイスであって、
上記ユーザが上記視聴データに対応する上記注目コンテンツを取得する指示を与える時、及び、上記再生手段が上記視聴データを再生する時、上記通信手段から上記サーバシステムへ、上記視聴データに対応する注目コンテンツのフルデータを要求する、第三の要求情報（例えば、図１３のHTML文章２２１の１２行目のCONTENTDATAタグ（<CONTENTDATA>と</CONTENTDATA>）に挟まれたURLアドレスにアクセスするときに送信するアクセス要求等）の転送制御すると共に、上記第三の要求情報に応じて送信される注目コンテンツのフルデータを受信する第三の通信制御手段（例えば、図３のコンテンツ正式データ取得部７６）を
更に備えることを特徴とする。
【手続補正１８】
【補正対象書類名】明細書
【補正対象項目名】００３０
【補正方法】変更
【補正の内容】
【００３０】
請求項５に記載のコンテンツ取得デバイスは、
上記請求項３に記載のコンテンツ取得デバイスであって、
上記ユーザによって操作される操作手段（例えば、図２の入力部１７）を更に備え、
上記操作手段は、
上記注目コンテンツを変更する上記指示を、上記設定手段に入力する第一の入力手段（例えば、図２の上方キー４４と下方キー４５）と、
上記注目コンテンツを取得する指示を、上記第三の通信手段に入力する第二の入力手段（例えば、図２のENTERキー４３）と
を含むことを特徴とする。
【手続補正１９】
【補正対象書類名】明細書
【補正対象項目名】００３１
【補正方法】変更
【補正の内容】
【００３１】
請求項８に記載のコンテンツ取得デバイスは、
上記請求項２に記載のコンテンツ取得デバイスであって、
表示デバイス（例えば、図２の表示部２３）に、少なくとも、上記注目コンテンツに対応する上記コンテンツ情報の一部を表示する表示制御手段（例えば、図３の表示制御部７３）を
更に備えることを特徴とする。
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】変更
【補正の内容】
【００３３】
請求項９に記載のコンテンツ取得方法は、
サーバシステム（例えば、図１のEMDサーバ３、または、図２８のショップサーバ３０１−１乃至課金サーバ３０１−７からなるEMDサーバシステム３０１）からコンテンツデータを取得するコンテンツ取得デバイス（例えば、図１または図２８のEMDクライアント１）におけるコンテンツ取得方法であって、
上記サーバシステムに、上記コンテンツデータを特定するコンテンツ情報を要求し、上記サーバシステムから上記コンテンツ情報を取得し（例えば、図９のステップＳ７の「楽曲紹介ページ取得処理（詳細は図１２）」を実行し）、
上記コンテンツ情報が取得されると、注目コンテンツとして上記コンテンツ情報を特定される第一のコンテンツを設定し（例えば、図１４のステップＳ６１の処理を実行し）、
上記注目コンテンツの変更指示に応じて、上記コンテンツ情報によって特定される第二のコンテンツを設定し（例えば、図１４のステップＳ６２，Ｓ６３の処理を実行し）、
上記ユーザの操作を介在することなく、上記注目コンテンツの視聴データを、上記サーバシステムに要求し、上記サーバシステムから配信される注目コンテンツの視聴データを取得し（例えば、図１４のステップＳ６１またはＳ６７の処理で開始される図１５の「１楽曲分試聴処理」のうちの、特に、ステップＳ８３とＳ８４の処理を実行し）、
上記ユーザの操作を介在することなく、上記視聴データを再生する（例えば、図１４のステップＳ６１またはＳ６７の処理で開始される図１５の「１楽曲分試聴処理」のうちの、特に、ステップＳ８７の処理を実行する）
ことを特徴とする。
【手続補正２２】
【補正対象書類名】明細書
【補正対象項目名】００３４
【補正方法】変更
【補正の内容】
【００３４】
請求項１０に記載のプログラムは、上述したコンテンツ取得方法に対応するプログラムであって、例えば図２のCPU１１を有するコンピュータにより実行される。